(57)【特許請求の範囲】
【請求項１】
ヘッド本体に感熱作動部等を有してなる埋め込み型のスプリンクラーヘッドに着脱自在に装着する保護キャップにおいて、有底円筒状に形成される保護キャップの上方内周部と該内周部に対応するヘッド本体の外周部に係脱自在の係止手段を設けてなり、かつ、上記保護キャップの内周部であって上記係止手段の下方部に、該保護キャップがヘッド本体に対し傾斜した装着状態となったときにヘッド本体の外周部に当接する当接部を設け、
上記保護キャップの内周部に設けた当接部は、上記係止手段が係止状態にあるときに、ヘッド本体の外周部から微少離れてなる段部もしくは突部にて形成されていることを特徴とするスプリンクラーヘッドの保護キャップ。
【請求項２】
ヘッド本体に感熱作動部等を有してなる埋め込み型のスプリンクラーヘッドに着脱自在に装着する保護キャップにおいて、有底円筒状に形成される保護キャップの上方内周部と該内周部に対応するヘッド本体の外周部に係脱自在の係止手段を設けてなり、かつ、上記保護キャップの内周部であって上記係止手段の下方部に、該保護キャップがヘッド本体に対し傾斜した装着状態となったときにヘッド本体の外周部に当接する当接部を設け、
上記係止手段は、保護キャップの内周部に設けた爪部とヘッド本体の外周部に設けた溝部又は段部とからなり、これら爪部と溝部又は段部が係脱自在に係止し、
上記円筒状の保護キャップをその下端部が上方部より小径とした小径部とその上方部の大径部から構成し、この保護キャップ同士を大径部を小径部に嵌合することによって重合自在としてなり、かつ、上記小径部の外周部に大径部の内周部に設けた上記爪部が係脱自在に係合する凹部を設けたことを特徴とするスプリンクラーヘッドの保護キャップ。
【請求項３】
ヘッド本体に感熱作動部等を有してなる埋め込み型のスプリンクラーヘッドに着脱自在に装着する保護キャップにおいて、有底円筒状に形成される保護キャップの上方内周部と該内周部に対応するヘッド本体の外周部に係脱自在の係止手段を設けてなり、かつ、上記保護キャップの内周部であって上記係止手段の下方部に、該保護キャップがヘッド本体に対し傾斜した装着状態となったときにヘッド本体の外周部に当接する当接部を設け、
上記係止手段が、保護キャップの内周部に設けた凹部とヘッド本体の外周部に設けた爪部とからなり、これら凹部と爪部が係脱自在に係止し、
上記円筒状の保護キャップをその下端部が上方部より小径とした小径部とその上方部の大径部から構成し、この保護キャップ同士を大径部を小径部に嵌合することによって重合自在としてなり、かつ、上記小径部の外周部に大径部の内周部に設けた上記凹部に係脱自在に係合する突部を設けたことを特徴とするスプリンクラーヘッドの保護キャップ。
【発明の詳細な説明】
【０００１】
【発明の属する技術分野】
本発明は、スプリンクラーヘッドに装着してデフレクタや感熱板などを保護する埋め込み型のスプリンクラーヘッドの保護キャップに関する。
【０００２】
【従来の技術】
従来、消火装置としてのスプリンクラーヘッドにおいて、弁を開閉する作用を備えた感熱板は機能上きわめて重要な部分であり、感熱板に衝撃などの外力が加えられると、漏水や暴発などの不慮の事故原因となることがある。
そのため、従来からスプリンクラーシステムの施工時には、スプリンクラーヘッドが何らかの衝撃を受けて損壊しないようにスプリンクラーヘッドに保護キャップを装着するようにしている。
そして、このスプリンクラーヘッドを建屋等に設置するに際しては、予めヘッド本体を天井面に取り付け、感熱板が露出した状態で天井面の塗装工事が行なわれるため、この工事によって不用意に感熱板が衝撃を受けたり、塗装工事の塗料が噴霧されて汚れることがある。また、輸送中や配管への取付時に落下したり工具を当てるなど、不注意な取扱いによって感熱板に衝撃を受ける場合が多い。このため、スプリンクラーヘッドを製造したのち、このスプリンクラーヘッドに保護キャップを装着して上記した種々の事故発生を防止している。
【０００３】
このような保護キャップを装着したスプリンクラーヘッドの一例として、図９に示す特開昭５６−５２０７７号公報に開示された発明が存在する。
この発明は、外周部に複数の段部８１を有するスプリンクラーヘッドのヘッド本体８０と、上部にこの段部８１と係止する爪部９１を有して、上記ヘッド本体８０に着脱可能に装着される有底円筒状の保護キャップ９０とからなり、出荷時には上記保護キャップ９０をスプリンクラヘッドに装着し、感熱板その他を保護するようにしている。
そして、この状態で取付け現場の天井２０に設けた取付け孔２１にスプリンクラーヘッドを挿入し、ネジ部８２を天井裏に配設された給水管２２に螺入して接続する構成としている。
【０００４】
【発明が解決しようとする課題】
そして、上記の保護キャップ９０は、天井２０の塗装工事が終了した段階でヘッド本体８０から取り外すこととしている。しかしながら、この保護キャップ９０は爪部９１と複数の段部８１とでヘッド本体８０に連結されているため、保護キャップ９０をヘッド本体８０から引抜く際に大きな力が必要である。
しかも、保護キャップ９０を下方に引き抜くには、保護キャップ９０を捻るように傾斜させても、複数の段部によって爪部９１が一度では外れず、片方が外れても、相対する爪部９１を外す際に外れていた片方の爪部９１が再び段部８１に噛み合って、簡単に外れず、離脱作業に多大の手間を要するという欠点があった。
【０００５】
更に、上記問題を解決せんとして、保護キャップの離脱を容易に行うものとしたスプリンクラーヘッドの他の例として、特開平８−７５５号公報に開示された発明がある。
この発明は、シーリングキャップの外径と、保護キャップの内径とを略同径に形成すると共に、保護キャップを合成樹脂にて形成し、そして保護キャップをシーリングキャップに圧入することにより摩擦力で保護キャップをシーリングキャップに着脱可能に取り付けるようにしている。
このように、保護キャップをシーリングキャップに対し、摩擦力によって取り付けていたため、その取り外しは簡単になし得ることとなったが、この構成によれば、製品の輸送中の振動や工事中の接触等によって簡単に外れてしまうという新たな問題が発生していた。
【０００６】
本発明は、上記の課題を解決すべくなされたもので、保護キャップのヘッド本体への取り付けを強固にして、振動や接触によっては簡単に外れることがなく、しかも天井の塗装工事が完了した後は、保護キャップをヘッド本体から弱い力で簡単に取り外すことのできるスプリンクラーヘッドの保護キャップを提供することを目的としたものである。
【０００７】
【課題を解決するための手段】
上記目的に鑑みて、本発明に係るスプリンクラヘッドのキャップは、次のように構成したものである。
ヘッド本体に感熱作動部等を有してなる埋め込み型のスプリンクラーヘッドに着脱自在に装着する保護キャップにおいて、有底円筒状に形成される保護キャップの上方内周部と該内周部に対応するヘッド本体の外周部に係脱自在の係止手段を設けてなり、かつ、上記保護キャップの内周部であって上記係止手段の下方部に、該保護キャップがヘッド本体に対し傾斜した装着状態となったときにヘッド本体の外周部に当接する当接部を設け、上記保護キャップの内周部に設けた当接部は、上記係止手段が係止状態にあるときに、ヘッド本体の外周部から微少離れてなる段部もしくは突部にて形成されていることを特徴としてなる。
【０００８】
ヘッド本体に感熱作動部等を有してなる埋め込み型のスプリンクラーヘッドに着脱自在に装着する保護キャップにおいて、有底円筒状に形成される保護キャップの上方内周部と該内周部に対応するヘッド本体の外周部に係脱自在の係止手段を設けてなり、かつ、上記保護キャップの内周部であって上記係止手段の下方部に、該保護キャップがヘッド本体に対し傾斜した装着状態となったときにヘッド本体の外周部に当接する当接部を設け、上記係止手段は、保護キャップの内周部に設けた爪部とヘッド本体の外周部に設けた溝部又は段部とからなり、これら爪部と溝部又は段部が係脱自在に係止し、上記円筒状の保護キャップをその下端部が上方部より小径とした小径部とその上方部の大径部から構成し、この保護キャップ同士を大径部を小径部に嵌合することによって重合自在としてなり、かつ、上記小径部の外周部に大径部の内周部に設けた上記爪部が係脱自在に係合する凹部を設けたことを特徴としてなる。
【０００９】
ヘッド本体に感熱作動部等を有してなる埋め込み型のスプリンクラーヘッドに着脱自在に装着する保護キャップにおいて、有底円筒状に形成される保護キャップの上方内周部と該内周部に対応するヘッド本体の外周部に係脱自在の係止手段を設けてなり、かつ、上記保護キャップの内周部であって上記係止手段の下方部に、該保護キャップがヘッド本体に対し傾斜した装着状態となったときにヘッド本体の外周部に当接する当接部を設け、上記係止手段が、保護キャップの内周部に設けた凹部とヘッド本体の外周部に設けた爪部とからなり、これら凹部と爪部が係脱自在に係止し、上記円筒状の保護キャップをその下端部が上方部より小径とした小径部とその上方部の大径部から構成し、この保護キャップ同士を大径部を小径部に嵌合することによって重合自在としてなり、かつ、上記小径部の外周部に大径部の内周部に設けた上記凹部に係脱自在に係合する突部を設けたことを特徴としてなる。
【００１３】
【発明の実施の形態】
図１は一部を断面で示した本発明の第１実施例の分解図、図２はヘッド本体に保護キャップを取り付けた状態の部分断面図である。
これら図１，２において、スプリンクラヘッドを構成するヘッド本体１は、中心部に水路を有し給水管に螺合されるネジ部２と、このネジ部２の下部に設けられたフランジ部３と、このフランジ部３の下面部に設けられた円筒状のフレーム４とからなり、フランジ部３の外周には等間隔に着脱用工具が係合する切り溝５，５が設けられている。
【００１４】
上記ヘッド本体１のフランジ部３の下面部に設けるフレーム４は、フランジ部３の下面部にネジ止めされて設けられ、この円筒状のフレーム４の中空部内には、可溶合金を有し、所定温度を越えると分解して中空部内から離脱するリンク機構やデフレクタの一部が収容されなり、そして、このフレーム４の下端部には感熱板等からなる感熱作動部６が取付けられている。
上記したヘッド本体１に感熱作動部６等を有してなるスプリンクラーヘッドに対し、合成樹脂材から成型した有底円筒状の保護キャップ１０がその下方から着脱自在に取り付けられる。
【００１５】
上記円筒状にて成型された保護キャップ１０は、その一例として上半部の円筒状にてなる大径部１０ａと、その下方部の有底円筒状にてなる小径部１０ｂとから構成してある。そして、その大径部１０ａの高さはヘッド本体１のフランジ部３の下面から下端部までの高さ、すなわちフレーム４の高さを考慮し、これを被覆するに十分な長さにて形成し、かつ、小径部１０ｂの高さは感熱作動部６の下面部より下方に位置する長さにて形成されている。
上記保護キャップ１０の大径部１０ａの内径は、ヘッド本体１のフレーム４の外径より僅かに大きく形成してあり、そのため、この保護キャップ１０のヘッド本体１への取り付けは、両者間に僅かな空隙１９が生じるようにしてなる。
なお、上記保護キャップ１０は、大径部１０ａと小径部１０ｂとから構成することなく全体を同一径にて形成することもできる。
【００１６】
上記保護キャップ１０の上方内周部と該内周部に対応するヘッド本体１（すなわち実施例においてはフレーム４）の外周部には、係脱自在の係止手段を設けてなる。
図１，２に示す第１の実施例にあっては、上記係止手段が、保護キャップ１０内周部に設けた爪部１１とヘッド本体１の外周部に設けた溝部７とから構成され、これら爪部１１と溝部７が係脱自在に係止することによって保護キャップ１０をヘッド本体１に対し着脱自在に取り付けるようにしてある。上記爪部１１は、保護キャップ１０とヘッド本体１の空隙１９を介して溝部７に到達する高さからなるように突出した突条部にて形成されている。
上記保護キャップ１０内周部に設けた爪部１１は、一例として、同一円周部において複数が点在してなり、これに対して、ヘッド本体１の外周部に設けた溝部７は、外周部において連続して構成されている。
【００１７】
更に、上記保護キャップ１０の内周部であって上記係止手段の下方部には、ヘッド本体１に対し、上記空隙１９を保持すると共に、しかも保護キャップ１０がヘッド本体１に対し、後述するように傾斜した装着状態となったときにヘッド本体１の外周部に当接するような当接部１２を設けてある。
すなわち、上記保護キャップ１０の内周部に設けた当接部１２は、図１，２に示すように、上記係止手段が係止状態にあるときに、ヘッド本体１の外周部から微少離れてなる段部にて形成されている。
そして、図３に示すように、ヘッド本体１から保護キャップ１０を引き抜く際に、保護キャップ１０がヘッド本体１に対し傾斜した装着状態となったときに、ヘッド本体１の外周部である角部８に当接するように構成されている。
また、ヘッド本体１に対して保護キャップ１０を着脱する際に、保護キャップ１０の爪部１１とヘッド本体１の溝部７との係止および係止解除が簡単に行えるように、保護キャップ１０の上部開口部の爪部１１の両端に切欠き１５を設けて爪部１１付近が湾曲するようにしている。
さらに、保護キャップ１０の内周部に設けた当接部１２の下方には段部１６を設け、保護キャップ１０をヘッド本体１に取付ける際に、段部１６がヘッド本体１の外周下端部８に当ることで保護キャップ１０が規定以上に奥まで挿入されて感熱作動部６に衝撃を与えることのないようにしている。
【００１８】
また一方、図７に示す第２の実施例にあっては、上記係止手段が、保護キャップ１０の内周部に設けた凹部１１ａとヘッド本体１の外周部に設けた爪部７ａとから構成され、これら凹部１１ａと爪部７ａが係脱自在に係止することによって保護キャップ１０をスプリンクラーヘッドに着脱自在に取り付けるようにしてある。なお、この第２実施例の基本構成は、第１実施例と共通であり、したがって、共通部分は同一符号をもって示す。
上記した保護キャップ１０の底壁には、水抜孔１４，１４を設けてある。また、保護キャップ１０の外壁には天井２０への取り付け位置を表示するためのレベル表示部を設けることもできる。
【００１９】
次ぎに、図１に示すように、上記小径部１０ｂの外周部に対し、上記大径部１０ａの内周部に設けた上記爪部１１に係脱自在に係合する凹部１３を設けるようにしてある。また、上記小径部１０ｂの外径を大径部１０ａの爪部１１との内径と略同一径としてある。
そして上記したように、円筒状の保護キャップ１０をその下端部が上方部より小径とした小径部１０ｂと大径部１０ａから構成したことから、図６に示すように、この保護キャップ１０，１０同士を大径部１０ａを小径部１０ｂに嵌合することによって重合自在としてなり、かつ、上記小径部１０ｂの外周部に大径部１０ａの内周部に設けた上記爪部１１が係脱自在に凹部１３に係合することから、これらが相互に係合して重合状態を確実に維持できるようにしてある。また、上記保護キャップ１０，１０を重合させることによって、持ち運びに適し、かつ収納スペースを小さくするメリットがある。
なお、図７に示す第２の実施例にあっては、上記小径部１０ｂの外周部に対し、上記大径部１０ａの内周部に設けた上記凹部１１ａに係脱自在に係合する突部１３ａを設けるようにしてあり、第２実施例における保護キャップ１０，１０の重合は、上記凹部１１ａに突部１３ａが係合することとなる。
【００２０】
上記のように構成した保護キャップ１０をヘッド本体１に装着するには、先ず、図１の状態において、スプリンクラーヘッドに対し、その下方からキャップ本体１０を挿入して強く押し上げる。すると、保護キャップ１０の内周部には係止手段としての爪部１１が設けられ、またヘッド本体１の外周部には溝部７が形成されているため、この溝部７に上記爪部１１が係止して、保護キャップ１０はヘッド本体１に半固定状態で保持される。このとき、保護キャップ１０の上端部は、フランジ部３の下面のやや下方に位置してなる。
【００２１】
次に、図２・図３により本発明の作用を説明する。図２は出荷時の状態を示すもので、スプリンクラーヘッドには、保護キャップ１０が装着されており、感熱作動部６を被覆して保護している。
【００２２】
この状態で取付け現場に輸送されたスプリンクラーヘッドは、先ず、図２に示すように、天井板２０に設けた取付け孔２１にその上部を挿入し、工具をフランジ部３の切り溝５に係合してネジ部２を給水管２２に螺入し、接続する。
なお、スプリンクラーヘッドを給水管２２に接続したのち、給水管２２からスプリンクラーヘッドに水が供給されるが、スプリンクラーヘッドに水漏れがある場合、漏れた水は保護キャップ１０の水抜孔１４から排出されるので、外部から水漏れを確認することができる。
【００２３】
この状態で天井板２０は塗装される。このとき、塗料が保護キャップ１０の外周に付着して保護キャップ１０を汚損することがある。天井板２０の塗装が終ったときは、図３に示すように、塗料で汚損された保護キャップ１０を親指と人差指で持って下方に引くか、あるいは指で挟んで下方に引けば、保護キャップ１０はヘッド本体１から外れるので、スプリンクラーヘッドには塗装の汚れは残らない。
この場合、保護キャップ１０はヘッド本体１との特殊な係止手段により保持されているので、保持キャップ１０を以下に説明するように、弱い力でヘッド本体１から取外すことができる。
【００２４】
次ぎに、保護キャップ１０のヘッド本体１からの係止を解除して取り外す手順を、図２乃至図４ａ，ｂに基づいて説明する。
まず、図２、図４ａの状態から、保護キャップ１０の外周部を手で摘んで斜め下方に引くと、引っ張った側の爪部１１を支点として保護キャップ１０が斜めに傾いて、引っ張った反対側の爪部１１がヘッド本体１の溝部７から外れ、この時、図３、図４ｂに示すように保護キャップ１０内の当接部１２にヘッド本体１の外周部である突部８が当接する。
そこで上記と反対方向に保護キャップ１０を引くと、上記突部８・当接部１２を支点として保護キャップ１０が回転して下方に引かれるので、係止状態にあった残りの爪部１１と溝部７の係止が極めて簡単に弱い力で外れ、保護キャップ１０のヘッド本体１から取り外すことができる。
【００２５】
次ぎに、図８は本発明の保護キャップを取り付けるスプリンクラーヘッドの第３の実施例であって、ヘッド本体１のフレーム４を外周幅の狭い上部と外周幅の広い下部とを連接させて設け、その間に段部７ａを設けるようにしている。そして、この段部７ａに保護キャップ１０内周部に設けた爪部１１が引掛かって、係止されるようにしている。この構成においても、保護キャップ１０を上述した２回の引き下げ動作で簡単に外すことができる。なお、第１実施例と共通部分は、同一符号をもって示す。
【００２６】
上記の説明では、図示のようなスプリンクラーヘッドに本発明を実施した場合を示したが、他の構造のスプリンクラーヘッドにも本発明を実施することができる。また、ヘッド本体に対しシーリングキャップを取り付ける構造においても実施できるもので、その他、本例に限定するものではなく、適宜変更することができる。さらに、保護キャップの形状も円筒状に限定するものではなく、スプリンクラーヘッドの形状にあわせて適宜多角形状等に変更することができる。更に、保護キャップ１０の爪部１１を多く設けた場合にも、この保護キャップ１０が合成樹脂材で成型されているため、爪部１１が外れた際に外径が多少変形し、他の爪部１１が外れ易くなり、前記と同様、２回の引き下げ動作で簡単に外すことができる。また爪部１１は、保護キャップ１０の上部開口部の最上端に設けても良い。
【００２７】
【発明の効果】
以上の説明から明らかなように、本発明は、スプリンクラーヘッドに着脱自在に装着する保護キャップの上方内周部と該内周部に対応するヘッド本体の外周部に係脱自在の係止手段を設け、その内周部であって上記係止手段の下方部に、該保護キャップがヘッド本体に対し傾斜した装着状態となったときにヘッド本体の外周部に当接する当接部を設けたことから、上記係止手段により保護キャップのヘッド本体への取り付けを強固にして、振動や接触によっては簡単に外れることがなく、また、天井の塗装工事が完了した後は、上記係止手段と相俟って保護キャップの当接部がヘッド本体の外周部に当接してテコの役をなすことから、保護キャップをヘッド本体から弱い力で簡単に取り外すことができる効果がある。
しかも保護キャップをヘッド本体に装着した状態で天井を塗装し、塗装後に塗料で汚れた保護キャップを取外すことから、天井を塗装する際にヘッド本体の感熱作動部等の露出部分に塗料が付着することはないと共に、これらを工事部材で破損することも確実に回避することができる。
【００２８】
円筒状の保護キャップ小径部と大径部とから構成したことから、この保護キャップ同士を大径部を小径部に嵌合することによって重合自在とし得て、持ち運びを容易にすると共に、収納スペースを小さくすることができる効果がある。
更に、上記小径部の外周部に大径部の内周部に設けた爪部又は凹部が係脱自在に係合する凹部又は爪部を設けてあることから、これらが相互に係合して重合状態を確実に維持できる効果がある。
【図面の簡単な説明】
【図１】本発明の第１実施例の分解図である。
【図２】図１の組立状態を示す一部断面図である。
【図３】図２の作用説明図である。
【図４】図２，３の要部拡大作用説明図である。
【図５】保護キャップの一部破断した底面図である。
【図６】保護キャップの重合状態を示す一部断面図である。
【図７】第２の実施例の説明図である。
【図８】第３の実施例の説明図である。
【図９】従来例を示す一部断面図である。
【符号の説明】
１    ヘッド本体
２    ネジ部
３    フランジ部
４    フレーム
５    切り溝
６    感熱作動部
７    溝部
８    突部
１０    保護キャップ
１０ａ  大径部
１０ｂ  小径部
１１    爪部
１２    当接部
１３    凹部
１４    水抜孔
１５    切欠き
１６    段部
１９    空隙
２０    天井板
２１    取付け孔
２２    給水管
【図１】
0004471323.tif 000002
【図２】
0004471323.tif 000003
【図３】
0004471323.tif 000004
【図４】
0004471323.tif 000005
【図５】
0004471323.tif 000006
【図６】
0004471323.tif 000007
【図７】
0004471323.tif 000008
【図８】
0004471323.tif 000009
【図９】
0004471323.tif 000010